(57)【要約】洗眼液を収容するフラスコ（１）の形態の持ち運び容易な洗眼器具であって、フラスコが、フラスコの将来の開口から突出しているクロージャ要素（２）によって密封されており、またフラスコがアイ・カップ（３）を備えている。本発明は、アイ・カップ（３）がクロージャ要素（２）を囲んでおり、スリーブ（５）がアイ・カップを囲んでおり、スリーブ（５）が非回転自在にクロージャ要素（２）に取り付けられていることを特徴とする。
2004511305.tif 000002
【特許請求の範囲】
【請求項１】
洗眼液を収容するフラスコ（１）の形態の持ち運び容易な洗眼器具であって、前記フラスコが、該フラスコの将来の開口から突出するクロージャ要素（２）によって密封されており、また前記フラスコが、アイ・カップ（３）を備えている洗眼器具において、
前記アイ・カップ（３）が前記クロージャ要素（２）を取り囲んでおり、スリーブ（５）が前記アイ・カップを取り囲んでおり、該スリーブ（５）が、回転不可能な状態で前記クロージャ要素（２）に取り付けられていることを特徴とする洗眼器具。
【請求項２】
前記クロージャ要素（２）が前記フラスコ（１）の長手方向軸線に関連して非対称であり、前記スリーブ（５）の内部部分（１２）が、前記クロージャ要素の、軸線方向に非対称な前記部分と係合するようになっており、前記スリーブ（５）が、前記クロージャ要素の上方部分（７）に、該上方部分と協働する締め付け具要素（１３）である媒体を介して取り付けられることを特徴とする請求項１に記載の洗眼器具。
【請求項３】
前記クロージャ要素（２）が、前記将来の開口（９）の下に位置する腰部（８）を含み、前記アイ・カップ（３９の）下方部分が前記腰部と係合することを特徴とする請求項１または請求項２に記載の洗眼器具。
【請求項４】
前記スリーブ（５）の下方部分（６）が前記フラスコの周囲で、フラスコに当接していることを特徴とする請求項１から請求項３までのいずれか１項に記載の洗眼器具。
【発明の詳細な説明】
【０００１】
本発明は持ち運び容易な洗眼器具に関するものである。「持ち運ばれる」とは、例えば人が都合携帯することができる、という意味である。
【０００２】
当技術分野では、急性の状況で、および他の状況において使用するための、洗眼液を収容するフラスコ（ｆｌａｓｋ）を含む幾つかの異なる洗眼器具が知られている。このフラスコは、往々にしてホルダ内に配置され、必要な場合に外されるが、特定のフラスコは、ホルダから取り出した時に開放する。このようなフラスコは、フラスコから液体が流入するアイ・カップを往々にして備えている。
【０００３】
衣服のポケット、道具箱に入れて携帯するか、他の何らかの方法で人が持ち歩くことができるこのようなフラスコに対する要求が存在する。
【０００４】
この種のフラスコでは、使用者の目に汚染物質が入らないよう、アイ・カップおよび周囲の区域に汚れなどの汚染物質がないことが望ましい。
【０００５】
フラスコは、単純な手の操作で開放し、使用準備が整うことも望ましい。
【０００６】
フラスコの再密封が不可能であることも望ましい。開放したフラスコを再密封するということは、フラスコの内容物が汚染され、その後に使用者の目の洗浄に使用すると、汚染物質が使用者の目に有害な影響を与えるかもしれない、ということである。
【０００７】
既知の技術により構築されたフラスコは、これらの願望を全て一度に満足することができない。
【０００８】
したがって、本発明は、アイ・カップが保護されており、容易に開放することが可能であり、再密封することができないフラスコに関するものである。
【０００９】
すなわち、本発明は、洗眼液を収容するフラスコを有する持ち運び容易な洗眼器具であって、フラスコが、後にフラスコの開口となる箇所から突出しているクロージャ要素によって閉鎖されており、またフラスコが、アイ・カップをさらに有している洗眼器具に関するものであり、この洗眼器具は、アイ・カップがクロージャ要素を取り囲んでいること、アイ・カップがスリーブに取り囲まれていること、およびスリーブが回転不可能な状態でクロージャ要素に取り付けられていることを特徴とする。
【００１０】
次に、本発明をその例示的実施形態を参照して、また添付図面を参照して、より詳細に説明する。
【００１１】
図は、洗眼液を含んだフラスコ１であって、後にフラスコの開口となる箇所から突出しているクロージャ要素２によって密封されたフラスコ１を有する洗眼器具を示す。フラスコはまたアイ・カップ３を備えている。
【００１２】
本発明によれば、アイ・カップ３はクロージャ要素２の周囲に配置されており（図５、図６、図７参照）、クロージャ要素の周囲で回転することができる。
【００１３】
本発明によれば、器具は、アイ・カップ３を取り囲むスリーブ５も含んでいる。スリーブ５の下方部分６は、フラスコの周囲にあって当接している（図７参照）。すなわち、アイ・カップは、例えば埃および汚れなどの汚染物質に対して、スリーブによって保護されている。スリーブ５は非回転自在にクロージャ要素２の上方部分７に対して取り付けられている。
【００１４】
本発明の好ましい一実施形態によれば、クロージャ要素２は、フラスコの長手方向軸線の周囲で、軸線方向に対称ではない。本発明の図示の実施形態では、クロージャ要素は２つの拡張したウィング２９、３０を含む。しかし、クロージャ要素は、代わりに四角い断面形状を有してもよい。クロージャ要素は、もちろん、スリーブおよびそれとともにクロージャ要素がフラスコに対して回転するとフラスコが開放するような他の非対称形を有していてもよい。クロージャ要素２は、前記将来の開口９の下に位置する腰部８を含む（図１参照）。アイ・カップ３の下方部分は、図５から明白なように、アイ・カップに設けた突起１０、１１によって前記腰部に係合する。このように、アイ・カップはフラスコ１の腰部領域にしっかりスナップ留めされる。さらに、スリーブ５の内部部分が、クロージャ要素２の非対称部分７の周囲に係合する。これは、図５、図６および図７に最もよく示されており、これはスリーブの上方部分が、内側下方向に突出した中空管状部分１２であって、軸線方向に非対称なクロージャ要素の部分の周囲に係合する管状部分１２を含むことを示している。スリーブ５は、前記クロージャ要素と協働する締め付け具要素１３によって、クロージャ要素２にも取り付けられる。スリーブ５は、クロージャ要素２の上方部分７に取り付けることが好ましい。
【００１５】
あるいは、この取付けは、クロージャ要素２の下方部分で把持する要素によって達成することもできる。
【００１６】
クロージャ要素に２つの拡張ウィング２９、３０を設けることにより、前記管状部分がクロージャ要素と効果的に係合することができる。
【００１７】
締め付け具要素１３は概ね半円形であり、２つの舌部分１４、１５を含む（図４参照）。締め付け具要素の外形は、概ねスリーブの最上部分に対応している。締め付け具要素が、図４および図５の矢印１６の方向から、前記スリーブの端部分に挿入されると、スリーブと締め付け具要素が滑らかで均一なユニットを形成する。
【００１８】
クロージャ要素２の上方部分７は、周方向に延びる凹所１７を含む。締め付け具要素をスリーブに挿入すると、舌部分１４、１５が、図４、図５および図７で示すように、凹所１７に当接するように位置する。スリーブ５は、舌部分とともに、フラスコにしっかりと取り付けられる。
【００１９】
すなわち、フラスコ１は、フラスコにしっかりと取り付けられたアイ・カップと、フラスコの非使用時に回転不可能な状態でフラスコに固定されたスリーブとを備えている。
【００２０】
フラスコは、第１ステップでは、図１に示すユニットの形態で作成される。フラスコは、フラスコの製造中に洗眼液が充填され、次に、アイ・カップが設けられ、その後、締め付け具要素によってスリーブを取り付けて固定すると、前記フラスコは図３に示す形状を有するようになる。
【００２１】
フラスコを開放するときには、スリーブに対してフラスコを回転させ、それによって将来のフラスコの開口９となる位置でクロージャ要素が破断される。すなわち、フラスコが回転するにつれて、スリーブと、スリーブにしっかりと配置されたクロージャ要素の上方部分とが自動的に解放される。残るのは、フラスコおよびそれに取り付けられたアイ・カップである。次にアイ・カップ３を使用者の目の上に配置し、フラスコを逆さまにすると、そこから洗浄液が流れる。洗浄液は、アイ・カップの短辺にあるＶ字形通路を介して排出される。
【００２２】
スリーブ５、およびスリーブに付随するクロージャ要素２の部分は、フラスコ上に戻されることはできるけれども、フラスコに残ったクロージャ要素の前記部分に固定することはできない。スリーブをアイ・カップに取り付けることもできない。この実施形態は、開放したフラスコが再密封されることを防止する。
【００２３】
フラスコ１、アイ・カップ３およびスリーブ５は、適切なプラスチック材料で構成される。
【００２４】
本発明の器具は、導入部分で言及した願望を全て満足することが明白である。
【００２５】
幾つかの実施形態を以上で説明したが、フラスコが、その構造的設計に関して変更可能であることは当業者には明白である。
【００２６】
したがって、特許請求の範囲内で変形がなされ得るので、本発明は、前述したその例示的実施形態に制限されるものではない。
【図面の簡単な説明】
【図１】
本発明のフラスコの側面図である。
【図２】
図１に示したフラスコの上面図である。
【図３】
スリーブを設けた場合の本発明によるフラスコの側面図である。
【図４】
図３によるフラスコの上面図である。
【図５】
図３の線Ａ−Ａで切り取った断面図である。
【図６】
図７の線Ｃ−Ｃで切り取った断面図である。
【図７】
図４の線Ｂ−Ｂで切り取った本発明によるフラスコの側面図である。
【国際公開パンフレット】
2004511305.tif 000003
2004511305.tif 000004
2004511305.tif 000005
2004511305.tif 000006
2004511305.tif 000007
2004511305.tif 000008
2004511305.tif 000009
2004511305.tif 000010
2004511305.tif 000011
2004511305.tif 000012
【国際調査報告】
2004511305.tif 000013
2004511305.tif 000014